(57)【要約】【課題】  表示画面のちらつきを増大させることなく、表示装置を迅速に起動することができる携帯情報端末を提供することを目的とする。【解決手段】  環境照度計測部２５が、瞬時照度Ｅｍを計測する照度センサ２５０と、瞬時照度Ｅｍを積分して環境照度Ｅを求める積分処理部２５３と、異なる積分時間を指定することにより、高速計測モード及び高精度計測モードを切り替える動作モード切替部２５４とを備え、積分処理部２５３が、表示装置２２の起動期間中に高速計測モードで環境照度Ｅを求め、動作モード切替部２５４が、初期環境照度Ｅｓの取得後に、動作モードを高精度計測モードに切り替える。【選択図】  図３
2016130762.tif 000002
【特許請求の範囲】
【請求項１】
表示出力を行う表示装置と、
環境照度を繰り返し検出する環境照度計測部と、
上記表示装置の表示出力中に、上記環境照度に基づいて上記表示装置の調光制御を行う調光制御部とを備えた携帯情報端末において、
上記表示装置は、表示停止中に起動信号を受信すれば、所定の起動期間を経て、表示出力を開始し、
上記環境照度計測部は、
瞬時照度を計測する照度センサと、
上記瞬時照度を積分して環境照度を求める積分処理部と、
上記積分処理部の積分時間として、第１時間を指定する高速計測モードと、第１時間よりも長い第２時間を指定する高精度計測モードと切り替える動作モード切替部とを備え、
上記積分処理部は、初期環境照度として、上記表示装置の上記起動期間中に高速計測モードで環境照度を求め、
上記動作モード切替部は、上記初期環境照度の取得後に、動作モードを高精度計測モードに切り替えることを特徴とする携帯情報端末。
【請求項２】
上記動作モード切替部は、上記表示装置の起動期間中に、動作モードを高精度計測モードへ切り替えることを特徴とする請求項１に記載の携帯情報端末。
【請求項３】
上記動作モード切替部は、上記起動信号に基づいて、動作モードを高速計測モードへ切り替えることを特徴とする請求項１又は２に記載の携帯情報端末。
【請求項４】
低照度用及び高照度用の計測レンジを切り替える計測レンジ切替部を備え、
上記積分処理部は、上記初期環境照度を求めるために、上記表示装置の起動期間中、上記計測レンジの一方において環境照度を求め、当該環境照度及び所定の閾値の比較結果に基づいて、上記計測レンジの他方において環境照度をさらに計測することを特徴とする請求項１〜３のいずれかに記載の携帯情報端末。
【請求項５】
上記表示装置は、液晶表示パネル及びバックライトによって構成され、
上記起動期間は、上記表示装置が起動信号を受信してから上記バックライトが点灯するまでの期間であり、
上記調光制御装置は、上記バックライトの輝度を制御することを特徴とする請求項１〜４のいずれかに記載の携帯情報端末。
【発明の詳細な説明】
【技術分野】
【０００１】
本発明は、携帯情報端末に係り、さらに詳しくは、表示装置の調光制御を行う携帯情報端末の改良に関する。
【背景技術】
【０００２】
携帯電話機、スマートホン、タブレット端末、ノートＰＣなどの携帯情報端末は、表示出力を行うための表示装置を備えている。表示装置は、例えば、表示画面を有する液晶表示パネルと、液晶表示パネルの表示画面を背面側から照明するバックライトとにより構成され、表示画面の明るさは、バックライトの輝度に依存する。
【０００３】
携帯情報端末の場合、ユーザの移動に伴って、周囲の明るさ（環境照度）が大きく変化する。このため、表示画面の明るさが一定であれば、暗い場所では表示画面が眩しすぎ、屋外などの明るい場所では表示画面が暗すぎるという問題が生じる。そこで、従来の携帯情報端末では、環境照度に応じて表示画面の明るさを変化させる調光制御を行うことによって表示画面を見易くしている（例えば、特許文献１）。
【０００４】
このような従来の携帯情報端末において、表示装置の起動直後における表示画面を適切な明るさにしようとすれば、表示装置の起動期間内に環境照度を計測する必要がある。しかしながら、一般に、環境照度の計測時間は、表示装置の起動時間よりも長く、起動直後から調光制御を行おうとすれば、表示装置の起動が遅くなってしまうという問題があった。
【０００５】
環境照度は、照度センサにより計測された瞬時照度を積分処理することによって求められる。つまり、所定の積分時間を確保することによって瞬時照度のばらつきの影響を抑制し、環境照度を精度よく計測している。このため、積分時間を短くすれば、環境照度の計測時間を短くすることができるが、環境照度の計測精度が低下するという問題が生じる。
【０００６】
具体的には、環境照度の計測時間を短くすれば、計測値が急に大きくなり、あるいは、急に小さくなる場合が生じる。その結果、表示画面の明るさが瞬時照度に過敏に反応し、表示画面がちらつくという問題が生じる。特に、人間の目は、暗い場所では明るさの変化に対し敏感であるため、表示画面のちらつきが目立ち易くなる。
【先行技術文献】
【特許文献】
【０００７】
【特許文献１】特開２０１２−２４８９７４号公報
【発明の概要】
【発明が解決しようとする課題】
【０００８】
本発明は、上記の事情に鑑みてなされたものであり、表示画面のちらつきを増大させることなく、表示装置を迅速に起動することができる携帯情報端末を提供することを目的とする。
【課題を解決するための手段】
【０００９】
本発明による携帯情報端末は、表示出力を行う表示装置と、環境照度を繰り返し検出する環境照度計測部と、上記表示装置の表示出力中に、上記環境照度に基づいて上記表示装置の調光制御を行う調光制御部とを備えた携帯情報端末において、上記表示装置が、表示停止中に起動信号を受信すれば、所定の起動期間を経て、表示出力を開始し、上記環境照度計測部が、瞬時照度を計測する照度センサと、上記瞬時照度を積分して環境照度を求める積分処理部と、上記積分処理部の積分時間として、第１時間を指定する高速計測モードと、第１時間よりも長い第２時間を指定する高精度計測モードと切り替える動作モード切替部とを備え、上記積分処理部が、初期環境照度として、上記表示装置の上記起動期間中に高速計測モードで環境照度を求め、上記動作モード切替部が、上記初期環境照度の取得後に、動作モードを高精度計測モードに切り替えるように構成される。
【００１０】
この様な構成を採用することにより、表示画面の起動期間中は、第１時間を積分時間とする高速計測モードでの環境照度の計測が行われる一方、表示画面の表示出力中は、第１時間よりも長い第２時間を積分時間とする高精度計測モードでの環境照度の計測が行われる。従って、起動期間中は、計測速度を優先して環境照度が計測される一方、表示出力中は、計測精度を優先して環境照度が計測される。
【発明の効果】
【００１１】
本発明によれば、表示画面のちらつきを増大させることなく、表示装置を迅速に起動することができる携帯情報端末を提供することができる。
【図面の簡単な説明】
【００１２】
【図１】本発明の実施の形態１による携帯情報端末の一例を示した外観図であり、携帯電話機１００が示されている。
【図２】図１の携帯電話機１００の内部構成の一例を示したブロック図である。
【図３】図２の環境照度計測部２５の詳細構成の一例を示したブロック図である。
【図４】携帯電話機１００の動作の一例を示したシーケンス図である。
【図５】携帯電話機１００における調光制御処理の一例を示したフローチャートである。
【図６】本発明の実施の形態２による携帯情報端末の要部についての一構成例を示した図である。
【図７】本発明の実施の形態２による携帯情報端末における調光処理の一例を示したフローチャートである。
【発明を実施するための形態】
【００１３】
実施の形態１．
図１は、本発明の実施の形態１による携帯情報端末の一例を示した外観図であり、スマートホンと呼ばれる携帯電話機１００が示されている。携帯電話機１００は、本発明による携帯情報端末の一例である。本発明が適用される携帯情報端末は、表示装置の調光制御を行う可般型端末であればよく、例えば、フィーチャーホンと呼ばれる携帯電話機や、タブレット端末やノートＰＣなどが含まれる。
【００１４】
携帯電話機１００は、ケース１０の操作面１１上に表示画面１２、受光部１３、通話用レシーバ１４及び通話用マイクロホン１５が配置されている。ケース１０は、例えば、略矩形の板形状からなる薄型筐体であり、その一主面が操作面１１として用いられる。
【００１５】
表示画面１２は、表示出力を行うための領域である。表示画面１２は、例えば、略矩形であり、操作面１１の大部分を占める面積を有する。なお、表示画面１２上にタッチセンサを設けることにより、表示画面１２を入出力に使用することもできる。
【００１６】
受光部１３は、入射光量を計測することにより、周囲の明るさ（環境照度）を計測する。計測された環境照度に応じて表示画面１２の輝度を制御する調光制御を行うことにより、周囲の明るさが変化しても常に見易い表示出力を行うことができる。受光部１３は、表示画面１２と同じ面、つまり操作面１１上に配置されることが望ましく、表示画面１２の近傍に配置されることがより望ましい。ただし、表示画面１２とは異なる面、例えばケース１０の端面に設けることもできる。
【００１７】
図２は、図１の携帯電話機１００の内部構成の一例を示したブロック図である。この携帯電話機１００は、シーケンス制御部２１、表示装置２２、表示制御部２３、輝度制御部２４及び環境照度計測部２５により構成される。
【００１８】
シーケンス制御部２１は、携帯電話機１００の主制御部であり、例えば、マイクロプロセッサが用いられる。シーケンス制御部２１は、表示装置２２及び環境照度計測部２５の動作を制御する。
【００１９】
表示装置２２は、液晶表示パネル（ＬＣＤ：Liquid Crystal Display）２２Ａ及びバックライト２２Ｂにより構成され、バックライト２２Ｂが液晶表示パネル２２Ａの表示画面を背面側から照明することにより表示出力が行われる。ただし、本発明に係る表示装置は、調光制御可能な表示装置であればよく、このような構成のみに限定されない。
【００２０】
表示装置２２は、表示出力を行う表示出力状態と、表示出力を行わない表示停止状態とがあり、表示出力状態及び表示停止状態の切り替えは、シーケンス制御部２１の指示に基づいて行われる。例えば、一定期間、ユーザ操作が検出されない場合、シーケンス制御部２１から停止信号が出力され、表示装置２２は表示停止状態に移行する。一方、表示停止状態においてユーザ操作が検出されると、シーケンス制御部２１から起動信号が出力され、所定の起動期間を経て、表示装置２２が起動される。表示装置２２の起動とは、表示停止状態の表示装置２２が表示出力状態へ遷移することを意味し、起動期間とは、起動信号が出力されてから表示装置２２が表示出力状態に遷移するまでの期間を意味する。
【００２１】
本実施の形態による表示装置２２は、表示停止状態のとき、液晶表示パネル２２Ａ及びバックライト２２Ｂへの電源供給が遮断されている。この状態において、シーケンス制御部２１から起動信号が出力されると、表示制御部２３及び液晶表示パネル２２Ａの初期化処理が行われ、その後にバックライト２２Ｂが点灯する。この場合、表示装置２２の起動期間は、起動信号が出力されてからバックライト２２Ｂが点灯するまでの期間となる。
【００２２】
表示制御部２３は、シーケンス制御部２１の指示に基づいて、液晶表示パネル２２Ａの動作を制御するＬＣＤドライバ回路である。画像データは、シーケンス制御部２１から表示制御部２３へ出力され、さらに表示制御部２３から液晶表示パネル２２Ａへ出力され、表示画面上に画像が表示される。また、表示装置２２の起動時には、シーケンス制御部２１からの起動信号に基づいて、表示制御部２３の初期化処理が行われた後、表示制御部２３からの初期化信号に基づいて、液晶表示パネル２２Ａの初期化処理が行われる。
【００２３】
輝度制御部２４は、シーケンス制御部２１の指示に基づいて、バックライト２２Ｂの点灯制御及び点灯中の調光制御を行う。シーケンス制御部２１は、環境照度計測部２５が計測した環境照度に基づいて、環境照度に応じた輝度を決定し、輝度信号を出力する。この輝度信号に基づいて、輝度制御部２４がバックライト２２Ｂの輝度を制御することにより、表示装置２２の調光制御が行われる。
【００２４】
環境照度計測部２５は、受光部１３への入射光量を検出することにより、周囲の明るさ（環境照度）を計測する。計測された環境照度は、シーケンス制御部２１へ出力され、表示装置２２の調光制御に用いられる。
【００２５】
図３は、図２の環境照度計測部２５の詳細構成の一例を示したブロック図である。環境照度計測部２５は、照度センサ２５０、増幅部２５１、Ａ／Ｄコンバータ２５２、積分処理部２５３及び動作モード切替部２５４により構成される。
【００２６】
照度センサ２５０は、受光部１３へ入射する光量を計測する光電素子であり、光電効果を有する半導体素子、例えば、フォトダイオードが用いられる。照度センサ２５０は、計測した受光量を瞬時照度Ｅｍとして出力する。
【００２７】
増幅部２５１は、照度センサ２５０から出力される瞬時照度Ｅｍを増幅する手段であり、増幅作用を有する半導体素子、例えば、トランジスタが用いられる。なお、本実施の形態では、増幅部２５１の利得は一定であるものとする。
【００２８】
Ａ／Ｄコンバータ２５２は、増幅部２５１からアナログ信号として入力される瞬時照度Ｅｍをデジタル信号に変換するアナログ／デジタル変換器である。なお、積分処理部２５３がアナログ回路である場合には、Ａ／Ｄコンバータ２５２は積分処理部２５３の後段に配置される。
【００２９】
積分処理部２５３は、瞬時照度Ｅｍを積分する演算手段である。積分処理部２５３は、所定の積分時間にわたって瞬時照度Ｅｍを積分し、得られた積分値を積分時間で割って環境照度Ｅを求める。つまり、積分時間内に計測された複数の瞬時照度Ｅｍの平均値として、環境照度Ｅが求められる。
【００３０】
動作モード切替部２５４は、環境照度計測部２５の動作モードを切り替える。動作モードの切り替えは、積分処理部２５３に対し、動作モードに応じた積分時間を指定することによって行われる。環境照度計測部２５は、積分時間が異なる２以上の動作モードを有し、シーケンス制御部２１が動作モードの指定を行う。動作モード切替部２５４は、指定された動作モードに基づいて、積分時間を指定する。
【００３１】
本実施の形態では、動作モードとして、積分時間が短い高速計測モードと、積分時間が長い高精度計測モードとを選択することができる。例えば、積分時間が１０ｍｓの高速計測モードと、積分時間が１００ｍｓの高精度計測モードのいずれかを選択することができる。
【００３２】
積分時間を短くすれば、環境照度Ｅの計測時間を短縮することができ、環境照度計測部２５の応答性を向上させることができる。しかしながら、積分時間が短くなれば、環境照度Ｅの計測に用いられる瞬時照度Ｅｍのサンプル数が少なくなり、計測される環境照度Ｅは、ノイズ等による瞬時照度Ｅｍのばらつきの影響を受けやすくなる。その結果、瞬時照度Ｅｍが急激に変化した場合に、表示画面の明るさが瞬時照度Ｅｍに過敏に反応し、表示画面がちらつくという問題が生じる。
【００３３】
そこで、本実施の形態による環境照度計測部２５では、起動直後の表示画面の明るさを決定する環境照度Ｅ（以下、初期環境照度Ｅｓと呼ぶ）は、高速計測モードで計測する一方、起動後の表示画面の明るさを決定するための環境照度Ｅは、高精度計測モードで計測している。つまり、環境照度Ｅの計測が、表示装置２２の起動中は速度優先で行われ、表示装置２２の起動後は、精度優先で行われる。このような構成を採用することにより、表示画面のちらつきを増大させることなく、表示装置２２を迅速に起動させることができる。
【００３４】
図４は、携帯電話機１００の動作の一例を示したシーケンス図であり、横方向に時間軸をとり、図２に示されたシーケンス制御部２１、液晶表示パネル２２Ａ、バックライト２２Ｂ、表示制御部２３及び環境照度計測部２５の動作状態及び相互作用が示されている。この図には、表示停止状態の表示装置２２が起動され、表示出力状態へ移行する様子が示されている。
【００３５】
シーケンス制御部２１から起動信号ｃ１が出力されると、表示制御部２３の初期化処理ａ１が開始される。当該初期化処理ａ１では、表示制御部２３への電源供給が開始され、その後に表示制御部２３の初期設定が行われる。
【００３６】
表示制御部２３の初期化処理ａ１が完了すれば、表示制御部２３から初期化信号ｃ２が出力され、液晶表示パネル２２Ａの初期化処理ａ２が開始される。当該初期化処理ａ２では、液晶表示パネル２２Ａへの電源供給が開始され、その後に液晶表示パネル２２Ａの内部回路の昇圧や初期設定が行われる。当該初期化処理ａ２が完了すれば、液晶表示パネル２２Ａは、完了通知ｒ１を出力する。完了通知ｒ１は、表示制御部２３を介して、シーケンス制御部２１へ入力される。液晶表示パネル２２Ａの初期化処理ａ２には、通常、４又は５フレームに相当する時間を要する。例えば、１フレームが１／６０＝１６．７ｍｓであれば、液晶表示パネル２２Ａの初期化処理ａ２に６６．８〜８３．５ｍｓの時間がかかる。
【００３７】
一方、表示制御部２３又は液晶表示パネル２２Ａの初期化処理ａ１，ａ２と並行し、環境照度計測部２５の初期化処理ａ３が行われる。環境照度計測部２５の初期化処理ａ３は、シーケンス制御部２１からの初期化信号ｃ３に基づいて開始される。初期化信号ｃ３は、起動信号ｃ１に基づいて生成される。当該初期化処理ａ３では、環境照度計測部２５への電源供給が開始され、その後に動作モードが高速計測モードに設定される。初期化処理ａ３が完了した環境照度計測部２５は、環境照度Ｅの計測処理ａ４を開始し、計測された環境照度Ｅが初期環境照度Ｅｓとしてシーケンス制御部２１へ出力される。初期環境照度Ｅｓの計測処理ａ４は、高速計測モードで行われるため、約１０ｍｓで完了する。
【００３８】
シーケンス制御部２１は、初期環境照度Ｅｓを取得すれば、動作モード切替信号ｃ３を出力する。環境照度計測部２５の動作モードは、動作モード切替信号ｃ３に基づいて、高速計測モードから高精度計測モードへ切り替える動作モード切替処理ａ５を行った後、環境照度Ｅの計測処理ａ６を開始する。この計測処理ａ６は、高精度計測モードで行われるため、約１００ｍｓで完了する。この計測処理ａ６は、その後、繰り返し行われる。
【００３９】
初期環境照度Ｅｓが出力された後、さらに液晶表示パネル２２Ａの初期化処理の完了通知ｒ１が出力されると、シーケンス制御部２１は、点灯信号ｃ４を出力する。点灯信号ｃ４には、バックライト２２Ｂの初期輝度が含まれる。初期輝度は、バックライト２２Ｂの点灯時における輝度であり、初期環境照度Ｅｓに基づいて、シーケンス制御部２１が決定する。バックライト２２Ｂは、シーケンス制御部２１からの点灯信号ｃ４に基づいて、点灯を開始し、表示装置２２が表示出力状態へ移行する。
【００４０】
初期環境照度Ｅｓの計測処理ａ４は、表示制御部２３又は液晶表示パネル２２Ａの初期化処理ａ１，ａ２と並行して行われる。また、当該計測処理ａ４では、高速計測モードによる計測が行われている。このため、液晶表示パネル２２Ａの初期化処理ａ２の完了よりも先に、初期環境照度Ｅｓの計測処理ａ４が完了する。従って、表示装置２２の起動を遅らせることなく、環境照度に基づく調光処理を表示装置２２の起動直後から開始することができる。
【００４１】
また、初期環境照度Ｅｓの計測後は、環境照度計測部２５の動作モードが高精度計測モードに切り替えられ、環境照度Ｅが繰り返し計測される。このため、表示出力中における表示装置２２の調光制御は、高精度計測モードによって計測された環境照度Ｅが用いられる。従って、表示画面のちらつきの発生を抑制することができる。
【００４２】
図５のステップＳ１０１〜Ｓ１０７は、携帯電話機１００における調光制御処理の一例を示したフローチャートである。調光制御処理は、表示装置２２の表示停止状態において、シーケンス制御部２１から起動信号ｃ１が出力された場合に開始される。
【００４３】
まず、環境照度計測部２５の初期化処理ａ３が行われ、環境照度計測部２５の動作モードが、高速計測モードに設定される（ステップＳ１０１）。次に、環境照度計測部２５が、高速計測モードによる環境照度Ｅの計測を行って、初期環境照度Ｅｓを求める（ステップＳ１０２）。シーケンス制御部２１は、初期環境照度Ｅｓに基づいて、バックライト２２Ｂの初期輝度を決定する（ステップＳ１０３）。決定された初期輝度は、輝度制御部２４へ出力され、バックライト２２Ｂの点灯開始時の輝度制御に用いられる。
【００４４】
一方、初期環境照度Ｅｓが計測された後、環境照度計測部２５の動作モードは、高速計測モードから高精度計測モードへ切り替えられる（ステップＳ１０４）。その後は、表示装置２２が表示出力を終了するまで、環境照度Ｅの計測処理と、バックライト２２Ｂの輝度制御とが繰り返される（ステップＳ１０５〜Ｓ１０７）。つまり、表示装置２が表示出力状態である期間中、環境照度計測部２５が、高精度計測モードで環境照度Ｅを計測し、当該計測結果に基づいて、輝度制御部２４が、バックライト２２Ｂの輝度制御を行う。
【００４５】
本実施の形態による携帯電話機１００は、環境照度Ｅを繰り返し検出する環境照度計測部２５を備え、環境照度計測部２５が、瞬時照度Ｅｍを計測する照度センサ２５０と、瞬時照度Ｅｍを積分して環境照度Ｅを求める積分処理部２５３と、積分処理部２５３の積分時間として、第１時間を指定する高速計測モードと、第１時間よりも長い第２時間を指定する高精度計測モードと切り替える動作モード切替部２５４とを備える。そして、積分処理部２５３は、初期環境照度Ｅｓとして、表示装置２２の起動期間中に高速計測モードで環境照度Ｅを求め、動作モード切替部２５４は、初期環境照度Ｅｓの取得後に、動作モードを高精度計測モードに切り替える。この様な構成を採用することにより、表示出力中における表示画面のちらつきを増大させることなく、表示装置２２を迅速に起動することができる。
【００４６】
また、本実施の形態による携帯電話機１００は、動作モード切替部２５４が、表示装置２２の起動期間中に、動作モードを高速計測モードから高精度計測モードへ切り替える。この様な構成を採用することにより、表示装置２２の起動後に、高精度計測モードで計測された環境照度Ｅに基づく調光制御を早期に開始することができる。
【００４７】
また、本実施の形態による携帯電話機１００は、シーケンス制御部２１が、起動信号ｃ１に基づいて、初期化信号ｃ３を出力し、動作モード切替部２５４が、初期化信号ｃ３に基づいて、動作モードを高速計測モードへ切り替える。この様な構成を採用することにより、起動期間中に、高速計測モードによる初期環境照度Ｅｓの計測を開始することができる。
【００４８】
実施の形態２．
実施の形態１では、照度センサ２５０の計測レンジが固定されている場合の例について説明した。これに対し、本実施の形態では、計測レンジを切り替え可能な場合について説明する。
【００４９】
図６は、本発明の実施の形態２による携帯情報端末の要部についての一構成例を示した図であり、環境照度計測部２５の詳細構成の一例が示されている。この環境照度計測部２５は、図３に示した実施の形態１の場合と比較すれば、計測レンジ切替部２５５を備えている点で異なる。
【００５０】
計測レンジ切替部２５５は、環境照度計測部２５の計測レンジを切り替える。計測レンジの切り替えは、増幅部２５１の利得を変更し、あるいは、Ａ／Ｄコンバータ２５２の量子化ステップ幅を変更することにより実現できる。
【００５１】
Ａ／Ｄコンバータ２５２のステップ幅が一定である場合、増幅部２５１の利得を小さくすることにより、計測精度が低下するが、計測レンジを広げることができる。逆に、増幅部２５１の利得を大きくすれば、計測精度は向上するが、計測レンジが狭くなる。
【００５２】
一方、増幅部２５１の増幅率が一定である場合、Ａ／Ｄコンバータ２５２のステップ幅を大きくすることにより、計測精度が低下するが、計測レンジを広げることができる。逆に、Ａ／Ｄコンバータ２５２のステップ幅を小さくすれば、計測精度は向上するが、計測レンジが狭くなる。
【００５３】
つまり、計測レンジが広ければ、高照度まで計測することができるが、低照度を高い精度で計測することができない。逆に、計測レンジが狭ければ、高照度を計測することができないが、低照度を高精度で計測することができる。従って、高照度であれば、広い計測レンジで計測することが望ましく、低照度であれば、狭い計測レンジで計測することが望ましい。
【００５４】
計測レンジ切替部２５５は、積分処理部２５３の出力に基づいて、計測レンジを切り替える。例えば、積分処理部２５３が求めた環境照度Ｅと、予め定められた閾値Ｅthとを比較し、この比較結果に基づいて、計測レンジを変更する。計測レンジの変更は、増幅部２５１の利得を変更し、あるいは、Ａ／Ｄコンバータ２５２のステップ幅を変更することによって行われる。
【００５５】
図７のステップＳ２０１〜Ｓ２１０は、本発明の実施の形態２による携帯情報端末における調光処理の一例を示したフローチャートである。この調光制御処理は、表示装置２２が表示停止状態であり、シーケンス制御部２１から起動信号ｃ１が出力された場合に開始される。
【００５６】
まず、環境照度計測部２５の初期化処理ａ３が行われ、環境照度計測部２５の計測レンジが低照度用に設定され、動作モードが高速計測モードに設定される（ステップＳ２０１）。そして、環境照度計測部２５が、環境照度Ｅを計測し（ステップＳ２０２）、当該環境照度Ｅを閾値Ｅthと比較する。
【００５７】
その結果、環境照度Ｅが閾値Ｅthを越えていなければ、当該環境照度Ｅを初期環境照度Ｅｓとし、ステップＳ２０６へ進む（ステップＳ２０３）。一方、環境照度Ｅが閾値Ｅthを超えていれば、計測レンジ切替部２５５が、計測レンジを低照度用から高照度用へ切り替える（ステップＳ２０４）。そして、環境照度計測部２５が、環境照度Ｅを再び計測し、その計測値が初期環境照度Ｅｓとなる（ステップＳ２０５）。
【００５８】
初期環境照度Ｅｓが取得された後、シーケンス制御部２１が、初期環境照度Ｅｓに基づいて、バックライト２２Ｂの初期輝度を決定する（ステップＳ２０６）。決定された初期輝度は、輝度制御部２４へ出力され、バックライト２２Ｂの点灯開始時の輝度制御に用いられる。
【００５９】
一方、初期環境照度Ｅｓが計測された後、環境照度計測部２５の動作モードは、高速計測モードから高精度計測モードへ切り替えられる（ステップＳ２０７）。その後は、表示装置２２が表示出力を終了するまで、環境照度Ｅの計測処理と、バックライト２２Ｂの輝度制御とが繰り返される（ステップＳ２０８〜Ｓ２１０）。
【００６０】
例えば、液晶表示パネル２２Ａの初期化処理に必要な時間が６６．８〜８３．５ｍｓであり、高速計測モードでの計測時間が１０ｍｓであれば、ステップＳ２０５における２回目の環境照度Ｅの計測も、表示装置２２の起動期間内に終了することができる。従って、初期環境照度Ｅｓの計測により、表示装置２２の起動が遅れることはない。
【００６１】
なお、図７のフローチャートでは、先に低照度用の計測レンジに設定し、最初の計測値が所定の閾値を越えている場合に高照度用の計測レンジに切り替え、再度計測を行う場合を示したが、計測レンジの設定順を逆にすることもできる。つまり、先に高照度用の計測レンジに設定し、最初の計測値が所定の閾値に達していない場合に低照度用の計測レンジに切り替え、再度計測を行うようにしてもよい。
【００６２】
本実施の形態による携帯電話機１００は、積分処理部２５３の出力に基づいて、低照度用及び高照度用の計測レンジを切り替える計測レンジ切替部２５５を備え、積分処理部２５３が、表示装置２２の起動期間中、計測レンジの一方で環境照度を求め、当該環境照度Ｅ及び所定の閾値Ｅthの比較結果に基づいて、低照度用及び高照度用の計測レンジの他方で環境照度をさらに計測する。この様な構成を採用することにより、適切な計測レンジで計測された初期環境照度Ｅｓが得られ、起動直後のバックライト２２Ｂの輝度を適切に制御することができる。
【符号の説明】
【００６３】
２      表示装置
１０    ケース
１１    操作面
１２    表示画面
１３    受光部
２１    シーケンス制御部
２２    表示装置
２２Ａ  液晶表示パネル
２２Ｂ  バックライト
２３    表示制御部
２４    輝度制御部
２５    環境照度計測部
１００  携帯電話機
２５０  照度センサ
２５１  増幅部
２５２  Ａ／Ｄコンバータ
２５３  積分処理部
２５４  動作モード切替部
２５５  計測レンジ切替部
Ｅ      環境照度
Ｅｍ    瞬時照度
Ｅｓ    初期環境照度
Ｅth    閾値
【図１】
2016130762.tif 000003
【図２】
2016130762.tif 000004
【図３】
2016130762.tif 000005
【図４】
2016130762.tif 000006
【図５】
2016130762.tif 000007
【図６】
2016130762.tif 000008
【図７】
2016130762.tif 000009